(57)【特許請求の範囲】
【請求項１】
軸筒の握る部分に把持部が設けられた筆記具であって、前記軸筒に筆記体を出没可能に配置すると共に、その出没手段を軸筒の側面に設け、また、前記軸筒と把持部の境界部分に凹陥部、或いは、凸部を形成すると共に、その凹陥部、或いは、凸部の一端を側面視で軸線方向に対して略垂直な壁部としたことを特徴とする筆記具。
【請求項２】
前記把持部の後端部を側面視で流線形状、或いは、直線状の傾斜端部としたことを特徴とする筆記具。
【発明の詳細な説明】
【技術分野】
【０００１】
本発明は、軸筒の握る部分に把持部が設けられた筆記具に関する。
【背景技術】
【０００２】
従来から軸筒が１次成形の軸筒と２次成形のグリップからなり、後端もしくは軸筒の側面に配置されたノックボタンを押圧することにより、前記軸筒内に配置されている筆記体を繰り出す筆記具が知られている。前記筆記体の１例としては、黒や赤、青などのボールペン体、シャープペンシルの芯、或いは、鉛筆芯などがある。
【０００３】
前記軸筒が２色成形で１次成形の軸筒と２次成形のグリップからなり、軸筒の側面に配置されたノックボタンを押圧することにより、前記軸筒内に配置されているシャープペンシルの芯を繰り出すことが可能なサイドノック式筆記具が知られている。
その一例が、特開２００３−３００３９３号公報に記載の筆記具である。以下、詳述する。筆記具本体の筆記軸には、ＡＢＳ樹脂やアクリル樹脂のような硬質材料からなる硬質部と、シリコンゴムやオレフィン系エラストマー、塩化ビニル系エラストマー、スチレン系エラストマー等の熱可塑性エラストマーのような軟質弾性材料からなる軟質部とで構成されている。これら前記硬質部と軟質部とは、２色成形のような手法により一度に成形を行うことができる。
【０００４】
筆記軸内部にはシャープペンシルの芯を繰り出す公知の芯繰り出し機構が配置されている。また、筆記軸の側面には開口部が形成されており、その開口部には前記芯繰り出し機構を作動せしめる操作部が突出した状態で配置されている。
そして、その操作部を押圧すると、その操作部が芯繰り出し機構を介して筆記媒体である芯が繰り出されるようになっている。
【特許文献１】特開２００３−３００３９３号公報。
【発明の開示】
【発明が解決しようとする課題】
【０００５】
従来技術では、２次成形のグリップの軟質部の表面には外観上に凹凸が設けられているが、１次成形の軸筒と２次成形のグリップとの境界部分は平滑になっている。デザイン上、軸筒とグリップの一体感を醸し出すためでもある。また、一般的に、後端ノック筆記具は押圧操作時、軸筒を持ち替えて親指を使ってノックボタンを押圧し、その他の指は軸筒が動かないようにしっかりと把持している。しかし、サイドノック式筆記具については筆記時、グリップを把持しながら押圧操作を行うことが多く、また、ノックボタンは摺動性、つまり、滑りが良く、且つ、ある程度の硬さが必要なため、ポリアセタール樹脂を使用し、更に、外観を良くするため、光沢にしている場合が多い。その結果、前述のようにグリップを把持しながらノックボタンを押圧する時、ノックボタンの外観表面は滑りやすく、且つ、特に夏場など手に多くの汗をかいている場合などにおいては、押圧操作の仕損じが発生する恐れがあった。
一方、金型上の制約として、サイドノック式筆記具において、軸筒の開口部を正面にした場合、２次成形のグリップの両端が軸線方向に対して垂直方向、つまり、円筒形状の時、金型の構造上、平坦なパーティングラインでは左右方向、前後方向に抜くことが出来る。しかし、軸筒の開口部を正面にした場合、２次成形のグリップの一端が軸線の前後方向に対して斜線、つまり、門松の竹筒を斜めにカットしたような形状の場合、金型の構造上、平坦なパーティングラインでは左右方向にしか抜くことが出来ない。これは１次成形の軸の斜線方向の一部にアンダーカットが生じるためである。このアンダーカットを維持したまま金型を製作しようとすると、斜線に沿った凹凸がある複雑な形のパーティングラインが必要となり、複数のキャビを持つ量産金型では更にコストが増大してしまい、且つ、バリなどの調整に時間が掛かり製品化のリードタイムが延びてしまう恐れがあった。
これらの問題の発生を恐れ、デザイナー及び製品設計者は、専門外である金型の知識や金型上の制約などを常に意識し注意を図らなければならない場合もあった。
【課題を解決するための手段】
【０００６】
本発明は、上記の課題に鑑みてなされたものであって、軸筒の握る部分に把持部が設けられた筆記具であって、前記軸筒に筆記体を出没可能に配置すると共に、その出没手段を軸筒の側面に設け、また、前記軸筒と把持部の境界部分に凹陥部、或いは、凸部を形成すると共に、その凹陥部、或いは、凸部の一端を側面視で軸線方向に対して略垂直な壁部としたことを要旨とする。
【発明の効果】
【０００７】
本発明は、軸筒の握る部分に把持部が設けられた筆記具であって、前記軸筒に筆記体を出没可能に配置すると共に、その出没手段を軸筒の側面に設け、また、前記軸筒と把持部の境界部分に凹陥部、或いは、凸部を形成すると共に、その凹陥部、或いは、凸部の一端を側面視で軸線方向に対して略垂直な壁部としたので、凹陥部によって形成される角部や、或いは、境界部に形成される凹陥部、或いは、凸部によって把持した際における指の滑りを極力防止することができる。
【発明を実施するための最良の形態】
【０００８】
作用について説明する。軸筒の握る部分に把持部が設けられた筆記具であって、それら軸筒と把持部の境界部分に凹陥部、或いは、凸部を形成しているので、例えば、サイドノック筆記具については、凹陥部によって形成される角部や、或いは、境界部に形成される凹陥部、或いは、凸部によって把持した際における指の滑りを極力防止することができる。
【０００９】
本発明の実施の形態の１例を図１〜図８に示し、説明する。本実施例は、先金部１と前軸部２と後軸部３から構成されている。
先金部１はステンパイプ４、戻り止め５、先金６の計３部品から構成されている。前軸部２は前軸７、チャック８、リング９、テーパースライド１０、スプリング１１、ノックボタン１２、シャープペンシル芯１３の計７部品から構成されている。後軸部３は後軸１４、クリップ１５、回転軸１６、消しゴム受け１７、消しゴム１８の計５部品から構成されている。所謂、サイドノック式のシャープペンシルであるが、これに限定されることなく、後端ノック式のシャープペンシルやボールペン、化粧筆などであっても良い。以下、詳述する。
【００１０】
前記先金部１の樹脂材質からなる先金６の内径部には、金属材質からなるステンパイプ４とゴム状弾性体からなる戻り止め５が圧入・固定されている。また、先金６の内面には、雌ねじ部６ａが形成されており、前記前軸７の前端に形成された雄ねじ部７ａと螺合されている。
前記前軸部２の前記前軸７の中間部の側面には、開口部７ｂが設けられ、その開口部７ｂにはノックボタン１２が軸線方向に対して垂直な方向に移動可能に配置されている。前記ノックボタン１２は、その横断面形状がほぼコ字型をしており、また、ノックボタン１２の側面にはツバ部１２ａが形成されている、そのツバ部１２ａは、前記開口部７ｂの幅より大きく形成されており、前記前軸７の開口部７ｂからは外れないようになっている。前記ノックボタン１２の内側面にはテーパー状の突部からなるカム面１２ｂが前後の位置に施されており、前記前軸７内に摺動自在に配置されたテーパースライド１０の前後に設けられたテーパー状のカム面１０ａと摺動可能に当接されている。また、前記ノックボタン１２は組立性を考慮して前後対称となっているが、デザイン上の制約により前後非対称でも良い。即ち、ノックボタン１２を前後対称にすることによって、ノックボタン１２の前後の方向を気にすることなく、前軸７に組み付けることが可能になるのである。
【００１１】
また、前記前軸７の内面には、前記テーパースライド１０が軸線方向に摺動自在に内装されているが、前軸７の内面に形成された平面部７ｃによって相対的な回転が防止されている。そのテーパースライド１０の軸線方向の前方には、チャック８が圧入などの手段によって固定されており、そのチャック８の前方にはリング９が囲繞している。符号１１は、コイルスプリングなどの弾撥部材であり、前記チャック８やテーパースライド１０などを後方に向けて付勢している。
前記リング９は、前軸７の端面部よりも前方に位置しており、そのリング９の後端部は、前軸７の前端開口部よりも大径なツバ部９ａが形成されている。そして、そのツバ部９ａは、前軸７の先端面７ｄと当接し、且つ、前記チャック８のテーパー面８ａと前記リング９の内径部９ｂと当接しているため、前記チャック８やテーパースライド１０の前軸７から後方へ向けての脱落が防止されている。
この時、前記スプリング１１は、圧入固定されて一体となったチャック８とテーパースライド１０を常に後方へ向けて付勢している。これによって、前記前軸７とテーパースライド１０の間にスプリング１１が配置されているので前方へも脱落しないようになっている。
前記芯１３はテーパースライド１０の内径部１０ｂに複数本内蔵されている。つまり、テーパースライド１０の内径部が、芯の収納部となっている。その芯１３は前記内径部１０ｂの前方部を経てチャック８の内径部８ｂに達している。そして、そのチャック８が芯１３の外周面１３ａを把持しているが、その把持動作は前記スプリング１１がチャック８を後方に付勢することにより、チャック８がリング９によって閉鎖せしめられることによってなされる。
【００１２】
組立時や芯を補充する時など、チャック８の内径部８ｂに芯１３が把持されていない場合、その把持されていない分、前記チャック８のテーパー面８ａの外径が若干、小さくなり、その小さくなった分、前記チャック８と一体になっているテーパースライド１０がスプリング１１の力により軸線方向で後退してしまう。
それと同時に前記テーパースライド１０のカム面１０ａと当接しているノックボタン１２のカム面１２ｂによって前軸７の開口部７ａに沿ってノックボタン１２が軸線方向から垂直方向へ移動する。
【００１３】
前記後軸部３の後軸１４の外周には、クリップ受け部１４ａが形成されており、そのクリップ受け部１４ａにはクリップ１５が固定されている。また、回転軸１６は後軸１４に内包され、前記後軸１４の後端面１４ｂと前記回転軸１６の段部１６ａが当接し、且つ、前記後軸１４の係止部１４ｃと回転軸１６の凹部１６ｂにより前後不動で回転自在に配置されている。回転軸１６には、長手方向の対向する位置に案内溝１６ｄが形成されており、また、後軸１４の内面には、螺旋溝１４ｅが形成されている。
さらに、前記回転軸１６の下方には、凸部１６ｃが形成されており、その凸部１６ｃは後軸１４の内径部１４ｄに対して軽く圧入されている。つまり、回転軸１６と後軸１４との相対的な回転は、前記凸部１６ｃの内径部１４ｄに対する軽圧入により摩擦抵抗が付与された状態での回転動作となるのである。この摩擦抵抗が付与されることによって、字消し時、消しゴム１８が容易には没入しないようになっている。前記消しゴム受け１７は回転軸１６に内包され、且つ、前記回転軸１６の案内溝１６ｄには消しゴム受け１７の凸部１７ａが摺動可能に嵌り込んでいる。
【００１４】
前記消しゴム受け１７に形成されている突起部１７ｂは、前記後軸１４の螺旋溝部１４ｅに嵌り込まれている。また、前記消しゴム１８は前記消しゴム１８の端部に形成されている係止部１８ａと前記消しゴム受け１７の内径部に形成されている係止部１７ｃにより固定されているが、前記消しゴム１８が弾性変形することによって着脱が可能となっている。
そして、前記前軸７と前記回転軸１６とを相対的に回転させることによって、消しゴム受け１７は螺旋状に回転しながら軸線方向を摺動し、前記消しゴム１８が出没することが可能となる。
【００１５】
前軸部２と後軸部３は、前軸７の後方の内径部に形成された凸状の４点リブ７ｅと後軸１４の前方に形成された全周凹部１４ｆとの嵌合によって連結されているものの、着脱が自在になっている。尚、芯１３を補充する場合には、前記後軸部３を後方へ引き抜き、次いで、芯をテーパースライド１０の内径部１０ｂに挿入・補充すれば良い。前記後軸部３を前軸部２へ再び嵌合させたい場合には、前軸７の４点リブ７ｅと後軸１４の全周凹部１４ｆを嵌合させればよい。
【００１６】
前軸７について詳しく説明する。前記前軸７は２色成形軸であって、硬質な材料の１次成形軸７ｆと軟質な材料の２次成形グリップ７ｇによって一体成形されている。尚、その２次成形グリップ７ｇは、１次成形軸７ｆの前方部に形成される凹部に埋没するように形成される。前記前軸７の側面に開口部７ｂが配置され、前記開口部７ｂの周辺に、円周上に２次成形グリップ７ｇが形成されている。この時、前記開口部７ｂの側面の軸線方向には、金型によってパーティングライン７ｈが形成され、且つ、２次成形品であるグリップ７ｇの後端部における形状が前記パーティングライン７ｈに対して傾斜しており側面視で斜線７ｉとなっている。ちなみに、その傾斜した斜線７ｉのパーティングライン７ｈに対する角度αは、約４０度となっている。また、前記前軸７の側面の前記開口部７ｂを正面とし、前記２次成形グリップ７ｇの後方に位置する斜線７ｉから金型が前方へ抜けるように前記１次成形軸７ｆに三角状の凹部７ｊを設け、且つ、前記２次成形グリップ７ｇの外径面と斜線７ｉにより、前記２色成形グリップの後方にエッジ部７ｋが位置するようになる。つまり、２色成形グリップ７ｇの斜線７ｉの一部が、前記凹部７ｊにより露出し、エッジ部７ｋになるが、面としても形成されるため、指に対しては柔軟性のある接触となる。
前記２色成形グリップ７ｇの後方に前記エッジ部７ｋが位置する理由として、通常、筆記時はグリップ７ｇの前方を把持し、且つ、筆記時の邪魔にならないように、ノックボタン１２もグリップ７ｇの後方に位置しているため、前記エッジ部７ｋは指に引っ掛からない。しかし、芯の繰り出し時、ノックボタン１２を押圧操作するために、押圧する指を後方へ移動させると、初めてノックボタン１２と一緒に前記エッジ部７ｋに指が触れることとなり、押圧操作時の指の滑りを極力防止することができる。
【００１７】
本実施例は、デザインの一部として、前記前軸７の後端側には凹部７ｌが形成されている。この凹部７ｌにより、前記開口部７ｂを正面とし、前後方向のみにしか金型構造上、前記前軸７から金型が抜けないようになっている。また、前記凹部７ｌに後軸部３の後軸１４の凸部１４ｇが嵌り込み、ノックボタン１２とクリップ１５が同一面上に配置されるように設計されている。これにより、前軸部２と後軸部３は、前軸７の後方の内径部に形成された凸状の４点リブ７ｅと後軸１４の前方に形成された全周凹部１４ｆとの嵌合によって連結されているものの、着脱が自在になっている。尚、芯１３を補充する場合には、前記後軸部３を後方へ引き抜き、次いで、芯をテーパースライド１０の内径部１０ｃに挿入・補充すれば良い。前記後軸部３を前軸部２へ再び嵌合させたい場合には、前軸７の４点リブ７ｅと後軸１４の全周凹部１４ｆを嵌合させればよい。
【産業上の利用可能性】
【００１８】
本実施例では、２次成形のグリップ形状の後方が前記パーティングライン７ｈに対して側面視で斜線７ｉとなっている。前記斜線７ｉは本実施例では側面視で曲線に構成されているが、図９〜図１１のように斜線や曲線と斜線の組み合わせ、更に、直線同士の階段状の組み合わせでも良い。以下、各例について説明する。
図９に示す例について説明する。前軸１９の斜線１９ａは、グリップ１９ｂの後方に位置し、パーティングライン１９ｃに対して約４５度の傾斜を有している。しかし、その傾斜角度に関してはデザインにより変えても良い。
図１０に示す例について説明する。前軸２０の曲線２０ａは、グリップ２０ｂの後方に位置し、開口部２０ｃからパーティングライン２０ｄまで形成されており、その曲線２０ａに連続して、即ち、パーティングライン２０ｄからは斜線２０ｅになっている。しかし、その曲線と斜線の配置はデザインにより変えても良い。
図１１に示す例について説明する。前軸２１に形成された縦方向と横方向の直線からなる階段状２１ａは、グリップ２１ｂの後方に位置し、パーティングライン２１ｃに対して傾斜した状態になっている。その傾斜角度に関してはデザインにより変えても良く、また、縦方向と横方向の曲線の組み合わせによる階段状でも良い。
図１２、図１３に示す例について説明する。前軸２２の曲線２２ａは、グリップ２２ｂの後方に位置し、パーティングライン２２ｃに対して約４０度の傾斜を有している。しかし、その傾斜角度に関してはデザインにより変えても良い。前記グリップ２２ｂの拡径部２２ｄは前記前軸２２の外周面より大きな外径を有しており、軸筒２２に対して凸状になっている。その凸部によって前記拡径部２２ｄには、エッジ部２２ｅが形成される。
その結果、そのエッジ部２２ｅには、前例におけるエッジ部７ｋと同様にノック時の指の滑り防止の効果が発生することになる。尚、前記曲線２２ａは前記図９〜図１１のように斜線や曲線と斜線の組み合わせ、更に、直線同士の階段状の組み合わせにしても良い。
【図面の簡単な説明】
【００１９】
【図１】本発明のサイドノック式筆記具の実施例斜視図である。
【図２】本発明のサイドノック式筆記具の実施例切断斜視図である。
【図３】図１のサイドノック式筆記具のクリップ側を正面とした時の右側面断面図である。
【図４】図１のサイドノック式筆記具の分解斜視図である。
【図５】本発明の１次成形軸７ａの斜視図である。
【図６】本発明の１次成形軸７ａの斜視図の拡大斜視図である。
【図７】本発明の前軸７の斜視図である。
【図８】本発明の前軸７の斜視図の拡大斜視図である。
【図９】第２例を示すサイドノック式筆記具のクリップ側を正面とした時の前軸１９の右側側面図である。
【図１０】第３例を示すサイドノック式筆記具のクリップ側を正面とした時の前軸２０の右側側面図である。
【図１１】第４例を示すサイドノック式筆記具のクリップ側を正面とした時の前軸２１の右側側面図である。
【図１２】第５例を示す前軸２２の斜視図である。
【図１３】第５例を示す前軸２２の拡大斜視図である。
【符号の説明】
【００２０】
１    先金部
２    前軸部
３    後軸部
４    ステンパイプ
５    戻り止め
６    先金
６ａ  雌ねじ部
７    前軸
７ａ  雄ねじ部
７ｂ  開口部
７ｃ  平面部
７ｄ  先端面
７ｅ  ４点リブ
７ｆ  １次成形軸
７ｇ  ２次成形グリップ
７ｈ  パーティングライン
７ｉ  斜線
７ｊ  凹部
７ｋ  エッジ部
７ｌ  凹部
８    チャック
８ａ  テーパー面
８ｂ  内径部
９    リング
９ａ  ツバ部
９ｂ  内径面
１０    テーパースライド
１０ａ  カム面
１０ｂ  内径部
１１    スプリング
１２    ノックボタン
１２ａ  ツバ部
１２ｂ  カム面
１２ｃ  角部
１３    シャープペンシル芯
１３ａ  外周面
１４    後軸
１４ａ  クリップ受け部
１４ｂ  後端面
１４ｃ  係止部
１４ｄ  内径部
１４ｅ  螺旋溝部
１４ｆ  全周凹部
１４ｇ  凸部
１５    クリップ
１６    回転軸
１６ａ  段部
１６ｂ  凹部
１６ｃ  凸部
１６ｄ  案内溝
１７    消しゴム受け
１７ａ  凸部
１７ｂ  突起部
１７ｃ  係止部
１８    消しゴム
１８ａ  係止部
１９    前軸
１９ａ  斜線
１９ｂ  ２次成形グリップ
１９ｃ  パーティングライン
２０    前軸
２０ａ  曲線
２０ｂ  グリップ
２０ｃ  開口部
２０ｄ  パーティングライン
２０ｅ  斜線
２１    前軸
２１ａ  直線同士の階段状
２１ｂ  グリップ
２１ｃ  パーティングライン
２２    前軸
２２ａ  曲線
２２ｂ  グリップ
２２ｃ  パーティングライン
２２ｄ  拡径部
２２ｅ  エッジ部
【図１】
0005444635.tif 000002
【図２】
0005444635.tif 000003
【図３】
0005444635.tif 000004
【図４】
0005444635.tif 000005
【図５】
0005444635.tif 000006
【図６】
0005444635.tif 000007
【図７】
0005444635.tif 000008
【図８】
0005444635.tif 000009
【図９】
0005444635.tif 000010
【図１０】
0005444635.tif 000011
【図１１】
0005444635.tif 000012
【図１２】
0005444635.tif 000013
【図１３】
0005444635.tif 000014